(57)【要約】【課題】各種ノイズの影響による信頼度の低い特定計測値を信頼度の高い特定計測値と高精度に区別して表示できる生体情報表示装置および生体情報表示方法を提供する。【解決手段】周期的に生じる、特定計測値を包含する生体情報波形を測定する測定手段１００と、測定手段により指定された単位時間内に測定された生体情報波形に基づいて特定計測値を算出する算出手段１３０と、算出手段により算出された特定計測値の信頼性の高低を、単位時間内に測定された生体情報波形に基づいて判断する判断手段１６０と、判断手段により信頼性が高いと判断された特定計測値と、信頼性が低いと判断された特定計測値とを区別して、特定計測値のトレンドグラフを表示する表示手段１５０と、を有する。【選択図】図１
2014094239.tif 000002
【特許請求の範囲】
【請求項１】
特定計測値を包含する生体情報波形を測定する測定手段と、
前記測定手段により指定された単位時間内に測定された前記生体情報波形に基づいて前記特定計測値を算出する算出手段と、
前記算出手段により算出された前記特定計測値の信頼性の高低を、前記単位時間内に測定された前記生体情報波形に基づいて判断する判断手段と、
前記判断手段により判断された信頼性に応じて前記特定計測値と区別して、前記特定計測値のトレンドグラフを表示する表示手段と、
を有することを特徴とする生体情報表示装置。
【請求項２】
前記判断手段は、前記指定された単位時間内に前記測定手段により測定された前記各生体情報波形に基づきそれぞれ前記算出手段により算出された前記特定計測値のばらつきに対して指定された条件に応じて信頼性の高低を判断することを特徴とする請求項１に記載の生体情報表示装置。
【請求項３】
前記判断手段は、前記生体情報波形の指定された時間帯における動揺の大きさに対して指定された条件に応じて信頼性の高低を判断することを特徴とする請求項１に記載の生体情報表示装置。
【請求項４】
前記指定された条件は、指定された単位時間内に前記測定手段により測定された各生体情報波形に基づきそれぞれ前記算出手段により算出された前記特定計測値の統計的ばらつきが指定された閾値以下であるという条件であることを特徴とする請求項２に記載の生体情報表示装置。
【請求項５】
前記生体情報波形の指定された時間帯は、前記生体情報波形に基線が現れ得る任意の時間帯であることを特徴とする請求項３に記載の生体情報表示装置。
【請求項６】
前記表示手段は、前記特定計測値のトレンドグラフに、前記判断手段により信頼性が高いと判断された前記特定計測値の所定時間内の統計値を重畳して表示することを特徴とする請求項１〜５のいずれか一項に記載の生体情報表示装置。
【請求項７】
前記判断手段により信頼性の高低が判断される前記特定計測値は、人体の複数個所において前記測定手段によりそれぞれ測定された前記生体情報波形、または前記人体の複数個所において指定された単位時間内に前記測定手段によりそれぞれ測定された複数拍の生体情報波形に基づく波形、に基づいて前記算出手段により算出される代表値であることを特徴とする請求項１〜６のいずれか一項に記載の生体情報表示装置。
【請求項８】
前記複数拍の生体情報波形に基づく波形は、前記複数拍の生体情報波形が加算平均された波形または中央値であることを特徴とする請求項７に記載の生体情報表示装置。
【請求項９】
前記代表値は、前記生体情報波形、または前記複数拍の生体情報波形に基づく波形、に基づいて前記人体の複数個所ごとに算出された前記特定計測値の平均値、中央値、および前記生体情報波形、または前記複数拍の生体情報波形に基づく波形に現れた前記特定計測値を定義する各波形幅の各始点のうち最も早い始点と各終点のうち最も遅い終点との間隔として定義される値、の少なくともいずれかであることを特徴とする請求項７または８に記載の生体情報表示装置。
【請求項１０】
前記表示手段は、前記特定計測値のトレンドグラフにおいて表示された各特定計測値のうち指定された時間における前記特定計測値の算出の基礎となった前記生体情報波形または前記複数拍の生体情報波形に基づく波形を、さらに表示することを特徴とする請求項７〜９のいずれか一項に記載の生体情報表示装置。
【請求項１１】
前記表示手段は、前記特定計測値のトレンドグラフにおいて表示された各特定計測値のうち指定された時間における前記特定計測値と、前記指定された時間における前記特定計測値の所定時間内の統計値と、前記指定された時間における前記特定計測値の前記ばらつきとの関係を、さらに表示することを特徴とする請求項６〜１０のいずれか一項に記載の生体情報表示装置。
【請求項１２】
前記表示手段は、前記特定計測値のトレンドグラフにおいて表示された各特定計測値のうち指定された時間における前記特定計測値の算出の基礎となった前記生体情報波形または前記複数拍の生体情報波形に基づく波形と対応させて、前記生体情報波形または前記複数拍の生体情報波形に基づく波形に基づいて算出された前記特定計測値の大小関係を、グラフまたは数値としてさらに表示することを特徴とする請求項１０または１１に記載の生体情報表示装置。
【請求項１３】
前記表示手段は、前記代表値が前記人体の複数個所で測定された前記生体情報波形または前記複数拍の生体情報波形に基づく波形に基づいて算出された前記特定計測値の中央値として指定された場合は、前記生体情報波形または前記複数拍の生体情報波形に基づく波形と前記特定計測値とを、前記中央値を与える前記生体情報波形、前記複数拍の生体情報波形に基づく波形、およびこれらの波形に基づいて算出された前記中央値の少なくともいずれかを識別可能に表示することを特徴とする請求項１１に記載の生体情報表示装置。
【請求項１４】
前記表示手段は、前記特定計測値の大小関係を数値として表示する場合は、前記特定計測値を前記数値の最大値および最小値を識別可能に表示することを特徴とする請求項１２に記載の生体情報表示装置。
【請求項１５】
前記表示手段は、前記生体情報波形または前記複数拍の生体情報波形に基づく波形を、前記代表値を定義する時間幅の始点と終点とを示す表示を重畳させて表示されることを特徴とする請求項１２〜１４のいずれか一項に記載の生体情報表示装置。
【請求項１６】
特定計測値を包含する生体情報波形を測定する測定段階と、
前記測定段階において指定された単位時間内に測定された前記生体情報波形に基づいて前記特定計測値を算出する算出段階と、
前記算出段階において算出された前記特定計測値の信頼性の高低を、前記単位時間内に測定された前記生体情報波形に基づいて判断する判断段階と、
前記判断段階において判断された信頼性に応じて前記特定計測値を区別して、前記特定計測値のトレンドグラフを表示する表示段階と、
を有することを特徴とする生体情報表示方法。
【請求項１７】
前記判断段階は、前記指定された単位時間内に前記測定段階において測定された各生体情報波形に基づきそれぞれ前記算出手段により算出された前記特定計測値のばらつきが指定された条件を満たす前記特定計測値を信頼性が高いと判断し、前記条件を満たさない前記特定計測値を信頼性が低いと判断することを特徴とする請求項１６に記載の生体情報表示方法。
【請求項１８】
前記判断段階は、前記生体情報波形の任意の時間帯における動揺の大きさが指定された条件を満たす前記生体情報波形に基づいて前記算出段階において算出された前記特定計測値を信頼性が高いと判断し、前記条件を満たさない前記特定計測値を信頼性が低いと判断することを特徴とする請求項１６に記載の生体情報表示方法。
【請求項１９】
前記指定された条件は、指定された単位時間内に前記測定段階において測定された各生体情報波形に基づきそれぞれ前記算出段階において算出された前記特定計測値の統計的ばらつきが指定された閾値以下であるという条件であることを特徴とする請求項１７に記載の生体情報表示方法。
【請求項２０】
前記生体情報波形の指定された時間帯は、前記生体情報波形に基線が現れ得る任意の時間帯であることを特徴とする請求項１８に記載の生体情報表示方法。
【請求項２１】
前記表示段階は、前記前記特定計測値のトレンドグラフに、前記判断段階において信頼性が高いと判断された前記特定計測値の所定時間内の統計値を重畳して表示することを特徴とする請求項１６〜２０のいずれか一項に記載の生体情報表示方法。
【請求項２２】
前記判断段階において信頼性の高低が判断される前記特定計測値は、人体の複数個所において前記測定段階でそれぞれ測定された前記生体情報波形、または前記人体の複数個所において指定された単位時間内に前記測定段階でそれぞれ測定された複数拍の生体情報波形に基づく波形、に基づいて前記算出手段により算出される代表値であることを特徴とする請求項１６〜２１のいずれか一項に記載の生体情報表示方法。
【請求項２３】
前記複数拍の生体情報波形に基づく波形は、前記複数拍の生体情報波形が加算平均された波形または中央値であることを特徴とする請求項２２に記載の生体情報表示方法。
【請求項２４】
前記代表値は、前記生体情報波形、または前記複数拍の生体情報波形に基づく波形、に基づいて前記人体の複数個所ごとに算出された前記特定計測値の平均値、中央値、および前記生体情報波形、または前記複数拍の生体情報波形に基づく波形に現れた前記特定計測値を定義する各波形幅の各始点のうち最も早い始点と各終点のうち最も遅い終点との間隔として定義される値、の少なくともいずれかであることを特徴とする請求項２２または２３に記載の生体情報表示方法。
【請求項２５】
前記表示段階は、前記特定計測値のトレンドグラフにおいて表示された各特定計測値のうち指定された時間における前記特定計測値の算出の基礎となった前記生体情報波形または前記複数拍の生体情報波形に基づく波形を、さらに表示することを特徴とする請求項２２〜２４のいずれか一項に記載の生体情報表示方法。
【請求項２６】
前記表示段階は、前記特定計測値のトレンドグラフにおいて表示された各特定計測値のうち指定された時間における前記特定計測値と、前記指定された時間における前記特定計測値の所定時間内の統計値と、前記指定された時間における前記特定計測値の前記ばらつきとの関係を、さらに表示することを特徴とする請求項２１〜２５のいずれか一項に記載の生体情報表示方法。
【請求項２７】
前記表示段階は、前記特定計測値のトレンドグラフにおいて表示された各特定計測値のうち指定された時間における前記特定計測値の算出の基礎となった前記生体情報波形または前記複数拍の生体情報波形に基づく波形と対応させて、前記生体情報波形または前記複数拍の生体情報波形に基づく波形に基づいて算出された前記特定計測値の大小関係を、グラフまたは数値としてさらに表示することを特徴とする請求項２５または２６に記載の生体情報表示方法。
【請求項２８】
前記表示段階は、前記代表値が前記人体の複数個所で測定された前記生体情報波形または前記複数拍の生体情報波形に基づく波形に基づいて算出された前記特定計測値の中央値として指定された場合は、前記生体情報波形または前記複数拍の生体情報波形に基づく波形と前記特定計測値とを、前記中央値を与える前記生体情報波形、前記複数拍の生体情報波形に基づく波形、およびこれらの波形に基づいて算出された前記中央値の少なくともいずれかを識別可能に表示することを特徴とする請求項２６に記載の生体情報表示方法。
【請求項２９】
前記表示段階は、前記特定計測値の大小関係を数値として表示する場合は、前記特定計測値を前記数値の最大値および最小値を識別可能に表示することを特徴とする請求項２７に記載の生体情報表示方法。
【請求項３０】
前記表示段階は、前記生体情報波形または前記複数拍の生体情報波形に基づく波形を、前記代表値を定義する時間幅の始点と終点とを示す表示を重畳させて表示されることを特徴とする請求項２７〜２９のいずれか一項に記載の生体情報表示方法。
【発明の詳細な説明】
【技術分野】
【０００１】
本発明は、生体情報表示装置および生体情報表示方法に関する。
【背景技術】
【０００２】
医師等は、患者の生体から周期的に発生する生体情報の計測値などの経時的な推移を確認することにより、患者の状態を把握し異常を検知する。
【０００３】
しかし、計測された生体情報には患者の体動や外乱等に起因するノイズが含まれており、計測値が変動した場合に、その変動した計測値が患者の生体の変化に基づくものなのかノイズ等の影響によるものなのか判断することは困難であり、患者の状態を把握するためにはその信頼性を知ることは重要なことである。
【０００４】
従来の計測値のトレンド表示などは、トレンドデータに対してフィルタ等によりある程度ノイズを除去して表示するか、フィルタ等を使用しないで全て表示することが行われていた。
【０００５】
また、信頼性の高い心電波形を信頼性の低い心電波形と区別して表示する先行技術としては次のようなものがある。すなわち、無線送信された心電波形を受信するとともに、その受信強度を測定する。そして、心電波形の受信強度が閾値より低くなった部分を受信信号の異常による信頼性の低い心電波形とみなし、他の部分より細い線で表示する。これにより、信頼性の高い心電波形を信頼性の低い心電波形と区別して表示するというものがある（特許文献１）。
【先行技術文献】
【特許文献】
【０００６】
【特許文献１】特開２０１０−５７６１６号公報
【発明の概要】
【発明が解決しようとする課題】
【０００７】
しかし、上記前者の先行技術のノイズを除去して表示する技術は、フィルタの定数の設定が難しく、実際の生体情報まで除去されて表示されない問題がある。また、フィルタ等を使用しない場合は、ノイズが多いとき非常に見づらくなって生体情報の判別が難しくなる問題がある。
【０００８】
上記後者の特許文献１に記載の先行技術は、受信強度としては現れないノイズの影響により信頼度が低下した生体情報を信頼度の高い生体情報と区別して表示することができないという問題がある。すなわち、患者からセンサにより生体情報を検出し、無線送信する前段階までの過程におけるノイズに対しては適用できない。また、無線送信以外の手段により取得される生体情報を、信頼性の高いものと低いものに区別して表示する場合には適用できないという問題がある。
【０００９】
本発明はこのような問題を解決するためになされたものである。すなわち、測定された生体情報波形から特定計測値を算出し、算出された特定計測値の信頼性を当該生体情報波形に基づいて判断する。そして、信頼度に応じて特定計測値を識別できるように区別して生体情報のトレンドグラフとして表示する。これにより、計測された特定計測値の信頼性を当該特定計測値の算出の基礎とされた生体情報波形に基づいて判断することで、各種ノイズの影響による信頼度の低い特定計測値と信頼度の高い特定計測値とを高精度に区別して表示できる生体情報表示装置および生体情報表示方法を提供する。
【課題を解決するための手段】
【００１０】
本発明の上記課題は、以下の手段によって解決される。
【００１１】
（１）特定計測値を包含する生体情報波形を測定する測定手段と、前記測定手段により指定された単位時間内に測定された前記生体情報波形に基づいて前記特定計測値を算出する算出手段と、前記算出手段により算出された前記特定計測値の信頼性の高低を、前記単位時間内に測定された前記生体情報波形に基づいて判断する判断手段と、前記判断手段により判断された信頼性に応じて前記特定計測値を区別して、前記特定計測値のトレンドグラフを表示する表示手段と、を有する生体情報表示装置。
【００１２】
（２）特定計測値を包含する生体情報波形を測定する測定段階と、前記測定段階において指定された単位時間内に測定された前記生体情報波形に基づいて前記特定計測値を算出する算出段階と、前記算出段階において算出された前記特定計測値の信頼性の高低を、前記単位時間内に測定された前記生体情報波形に基づいて判断する判断段階と、前記判断段階において判断された信頼性に応じて前記特定計測値と区別して、前記特定計測値のトレンドグラフを表示する表示段階と、を有する生体情報表示方法。
【発明の効果】
【００１３】
測定された生体情報波形から特定計測値を算出し、算出された特定計測値の信頼性を当該生体情報波形に基づいて判断する。そして、信頼性に応じて特定計測値を区別して特定計測値のトレンドグラフとして表示する。これにより、計測した特定計測値の信頼性を当該特定計測値の算出の基礎とされた生体情報波形に基づいて判断することで、各種ノイズの影響による信頼度の低い特定計測値と信頼度の高い特定計測値とを高精度に区別して表示することができる。
【図面の簡単な説明】
【００１４】
【図１】本発明の実施形態に係る生体情報表示装置のブロック図である。
【図２】本発明の実施形態に係る生体情報表示装置において表示される特定計測値のトレンドグラフを示す図である。
【図３】本発明の実施形態に係る生体情報表示装置において同時に表示される特定計測値のトレンドグラフ、指定時間における特定計測値の算出の基礎となった生体情報波形、および、指定時間における特定計測値の計測値とその移動平均の大小関係のグラフと特定計測値のばらつきとの関係を示す図である。
【図４】本発明の実施形態に係る生体情報表示装置において同時に表示される特定計測値のトレンドグラフ、指定時間における特定計測値の算出の基礎となった生体情報波形と各誘導の特定計測値の大小関係のグラフ、および、指定時間における特定計測値の計測値とその移動平均の大小関係のグラフと特定計測値のばらつきとの関係を示す図である。
【図５】本発明の実施形態に係る生体情報表示装置において同時に表示される特定計測値のトレンドグラフ、指定時間における特定計測値の算出の基礎となった生体情報波形と特定計測値の数値、および、指定時間における特定計測値の計測値とその移動平均の大小関係のグラフと特定計測値のばらつきとの関係を示す図である。
【図６】本発明の実施形態に係る生体情報表示方法のフローチャートを示す図である。
【発明を実施するための形態】
【００１５】
以下、図面を参照して、本発明の実施形態に係る生体情報表示装置および生体情報表示方法について詳細に説明する。
【００１６】
図１は、本発明の実施形態に係る生体情報表示装置のブロック図である。
【００１７】
図１に示すように、本実施形態に係る生体情報表示装置１は、測定装置１００、患者情報入力部１１０、ユーザ操作部１２０、演算部１３０、記憶部１４０、表示部１５０、および制御部１６０を有する。
【００１８】
ここで、測定装置１００は測定手段を構成し、演算部１３０および制御部１６０は算出手段および判断手段を構成する。そして、表示部１５０は表示手段を構成する。
【００１９】
なお、生体情報表示装置１は、例えば、心電計または生体情報モニタとして構成されることができる。生体情報表示装置１の測定装置１００以外の構成要素はパーソナルコンピュータにより構成されてもよい。
【００２０】
測定装置１００は、生体情報を測定する。生体情報は生体が周期的に発生する生理学的情報であり、例えば心電図であるが、観血血圧波形または脈圧波形であってもよい。
【００２１】
以下、簡単のために、測定装置１００は生体情報として心電図を測定するものとして説明する。
【００２２】
測定装置１００は、患者の体表面の複数個所に装着されて心電図を取り込む電極、心電図を増幅する増幅器、増幅器により増幅された心電図から雑音を取り除くフィルタ、増幅され雑音が取り除かれた心電図をデジタル化するＡＤ変換器、および、制御部１６０に心電図を送信するためのインタフェースを有して構成されることができる。
【００２３】
測定装置１００は、電極が患者の体表面の所定箇所に装着されることにより、患者の心電図を測定する。また、測定装置１００は、測定した心電図を制御部１６０に送信する。
【００２４】
患者情報入力部１１０は、例えば、キーボードやタッチパネルにより構成される。
【００２５】
患者情報入力部１１０には、ユーザのキー操作により患者情報が入力される。患者情報は、例えば、患者のＩＤ、氏名、年齢、および性別である。患者情報入力部１１０は、入力された患者情報を制御部１６０に送信する。
【００２６】
ユーザ操作部１２０は、例えば、キーボードやタッチパネルにより構成される。なお、ユーザ操作部１２０を構成するキーボードやタッチパネルは患者情報入力部１１０を構成するキーボードやタッチパネルと兼用されるようにしてもよい。
【００２７】
ユーザ操作部１２０は、計測された心電図波形（生体情報波形）に基づいて算出された信頼性指標の大きさにより心電図の特定計測値の信頼性を判断する際の当該信頼性指標に対する閾値の指定がユーザにより入力される。ここで、信頼性指標とは、特定計測値の信頼性を判断するための数値であり、計測された特定計測値の統計的なばらつきを示す、例えば指定時間内の特定計測値の標準偏差である。信頼性指標は、心電図波形に基線が現れ得る部分（Ｔ（Ｕ）Ｐ間、ＰＱ間など）の任意の時間帯における当該心電図波形の動揺の統計的なばらつき、例えば、大きさ、標準偏差等であってもよい。ユーザは信頼性指標の内容をユーザ操作部において指定する。
【００２８】
ユーザ操作部１２０は、表示部１５０に表示される特定計測値のトレンドグラフにおいて、当該グラフにプロットされた特定計測値のうちいずれかを時間により指定するための指定時間（以下、単に「指定時間」と称する）がユーザにより入力される。後述するように、指定時間における特定計測値の算出の基礎となった各心電図波形は特定計測値のトレンドグラフとともに表示部１５０に表示される。
【００２９】
ユーザ操作部１２０は、特定計測値のトレンドグラフにおいて、当該グラフにプロットされる各特定計測値の算出の基礎とされる心電図の複数拍の心電図波形を測定装置１００に計測させるための単位時間（以下、単に「単位時間」と称する）の指定がユーザにより入力される。単位時間の指定は、例えば、１分間ごとの指定とすることができる。以下、簡単のために、単位時間を１分間として説明する。
【００３０】
ユーザ操作部１２０は、ユーザにより入力された上述した指定を含む各種指定を制御部１６０に送信する。
【００３１】
演算部１３０は、ＣＰＵ（Ｃｅｎｔｒａｌ  Ｐｒｏｃｅｓｓｉｎｇ  Ｕｎｉｔ）、ＲＡＭ（Ｒａｎｄａｍ  Ａｃｃｅｓｓ  Ｍｅｍｏｒｙ）、およびＨＤＤ（Ｈａｒｄ  Ｄｉｓｋ  Ｄｒｉｖｅ）により構成されることができる。
【００３２】
演算部１３０は、測定装置１００により測定された心電図波形に基づいて特定計測値を算出する。
【００３３】
演算部１３０は、例えば、特定計測値として、心電図波形の時間に関する指標である、ＰＱ間隔、ＱＲＳ幅、ＱＴ間隔、ＱＴｃ間隔、Ｐ波幅、Ｔ波幅、およびＵ波幅を算出することができる。ここで、ＱＴｃ間隔とはＲＲ間隔による影響を排除する補正がされたＱＴ間隔である。当該補正は、ＲＲ間隔の増大によりＱＴ間隔も増大することを考慮してなされる。
【００３４】
演算部１３０は、例えば、特定計測値として、心電図波形の振幅に関する指標である、Ｐ波振幅、Ｑ波振幅、Ｒ波振幅、Ｓ波振幅、Ｔ波振幅、Ｕ波振幅、またはＳＴレベルを算出してもよい。
【００３５】
演算部１３０は、例えば、ＰＱ間隔を特定計測値として算出する場合は、Ｐ波の始まりからＱ波の始まりまでの時間を演算することによりＰＱ間隔を算出することができる。
【００３６】
演算部１３０は、さらに、特定計測値を単位時間内に測定された複数拍の心電図波形に基づいて、特定計測値の代表値を算出する。演算部１３０は、ユーザ操作部１２０においてユーザに指定された単位時間の指定に従い、当該単位時間に測定された複数拍の心電図波形に基づいて特定計測値の代表値を算出する。すなわち、演算部１３０は、当該単位時間に測定された複数拍の心電図波形に基づく波形（以下、単に「代表波形」と称する）から特定計測値の代表値を算出する。ここで、代表波形は、当該単位時間に測定された複数拍の心電図波形から統計的に求められ、例えば複数拍の心電図波形が加算平均された波形である。代表波形は、当該複数拍の心電図波形の各サンプルの電位の中央値を与える波形であってもよい。なお、特定計測値のトレンドグラフにプロットされる特定計測値は、特定計測値の代表値である。
【００３７】
演算部１３０は、例えば１２誘導心電図のように人体の複数個所（以下、単に「複数誘導」と称する）における心電図により特定計測値を算出する場合は、代表波形からそれぞれ算出した特定計測値に統計的処理を施すことで得られる平均値または中央値等を特定計測値の代表値とする。なお、代表波形のそれぞれに現れた特定計測値を定義する波形幅の各始点のうち最も早い始点と各終点のうち最も遅い終点との間の間隔として定義される最大値を代表値としてもよい。
【００３８】
演算部１３０は、ユーザにより指定された信頼性指標を算出する。ユーザに指定された信頼度指標が特定計測値のばらつきである場合は、演算部１３０は、単位時間に測定された複数拍の心電図波形の特定計測値に統計的処理を施すことで得られる標準偏差や二乗平均平方根等の統計的ばらつきを信頼度指標として算出することができる。ユーザに指定された信頼度指標が心電図波形に基線が現れ得る部分の任意の時間帯（例えばＰ波とＱ波の間）における動揺の大きさである場合は、演算部は、当該時間帯における心電図波形に統計的処理を施して統計的ばらつきを表す当該動揺の大きさ、または当該動揺の標準偏差等を信頼度指標として算出することができる。
【００３９】
演算部１３０は、特定計測値のばらつきを算出する場合は、拍ごとの特定計測値の単位時間における標準偏差等の統計的ばらつきにより特定計測値のばらつきを算出してもよい。
【００４０】
演算部１３０は、算出された特定計測値の代表値のうち制御部１６０により信頼性が高いと判断された連続する特定計測値の代表値に基づいて所定時間内における統計値である決定値を算出する。これは所定時間内における平均値（移動平均）、中央値、最小値、または最大値などとすることができる。以下、簡単のために、所定時間内における統計値を移動平均として説明する。
【００４１】
記憶部１４０は、ＨＤＤにより構成されることができる。
【００４２】
記憶部１４０は、測定された心電図、特定計測値、および特定計測値のばらつき等の各種計測値を記憶する。記憶部１４０は、さらに患者情報、および、閾値の指定等のユーザによる各種指定を記憶する。記憶部１４０は、制御部１６０に実行される生体情報表示装置１の各構成要素を制御するための制御プログラムを記憶する。
【００４３】
表示部１５０は、液晶ディスプレイにより構成されることができる。
【００４４】
表示部１５０は、演算部１３０により算出された特定計測値のトレンドグラフを、制御部１６０による判断に従い、信頼性の高い特定計測値と信頼性の低い特定計測値とを区別して表示する。また、表示部１５０は、信頼性の高い特定計測値の移動平均を特定計測値のトレンドグラフに重畳させて表示することができる。
【００４５】
表示部１５０は、特定計測値のトレンドグラフにおいて表示された各特定計測値の指定時間における特定計測値の算出の基礎となった、代表波形を表示する。
【００４６】
表示部１５０は、特定計測値のトレンドグラフにおいて表示された各特定計測値のうち指定時間における特定計測値と、指定時間における特定計測値の移動平均と、指定時間における特定計測値のばらつきとの関係を表示することができる。
【００４７】
表示部１５０は、特定計測値のトレンドグラフにおいて表示された各特定計測値の指定時間における特定計測値の算出の基礎となった代表波形と対応させて、当該代表波形に基づいて算出された特定計測値の大小関係を表示することができる。表示部１５０は、当該大小関係をグラフまたは数値として表示することができる。特定計測値の大小関係を数値として表示する場合は、表示部１５０は、特定計測値を最大値および最小値を識別可能に表示することができる。
【００４８】
表示部１５０は、複数誘導でそれぞれ測定された代表波形に基づいて算出された特定計測値の中央値がユーザにより代表値として指定された場合は、中央値を与える代表波形および当該中央値の少なくともいずれかを識別可能に表示することができる。
【００４９】
表示部１５０は、代表波形を、代表値を定義する時間幅の始点と終点とを示す表示を重畳させて表示することができる。
【００５０】
表示部１５０は、信頼度指標が心電図波形に基線が現れ得る任意の時間帯における動揺に基づいて算出された場合は、指定時間における信頼度指標の値をさらに表示してもよい。
【００５１】
制御部１６０は、ＣＰＵおよびＲＡＭにより構成されることができる。
【００５２】
制御部１６０は、記憶部１４０に記憶された制御プログラムに従い、生体情報表示装置１の構成要素を制御する。
【００５３】
制御部１６０は、測定装置１００、患者情報入力部１１０、およびユーザ操作部１２０から受信した心電図、患者情報、および閾値の指定等のユーザによる各種指定を記憶部１４０に送信し記憶させる。
【００５４】
制御部１６０は、演算部１３０により算出された特定計測値の信頼性の高低を判断する。制御部１６０は、演算部１３０により算出された信頼度指標がユーザにより指定された閾値を超えない場合は当該信頼度指標が算出された特定計測値を信頼性の高い特定計測値と判断する。制御部１６０は、信頼度指標がユーザにより指定された閾値を超えた場合は当該信頼度指標が算出された特定計測値を信頼性の低い特定計測値と判断する。なお、上記閾値を複数設定しておいて、信頼性の度合いを３段階以上に設定してもよい。
【００５５】
生体情報表示装置１の表示部１５０に表示される表示画面について図２〜５を参照して説明する。なお、図２〜５のいずれの図を表示画面として表示するかは、ユーザ操作部１２０におけるユーザによる指定により決定される。
【００５６】
図２は、本実施形態に係る生体情報表示装置において表示される特定計測値のトレンドグラフを示す図である。
【００５７】
図２のグラフの横軸は特定計測値計測における経過時間を示しており、計測された特定計測値の計測値を示す各プロットの間隔は１分間である。図２のグラフの縦軸は、特定計測値であるＱＴ間隔の計測値を示している。
【００５８】
ここで、図２のグラフにプロットされている特定計測値は特定計測値の代表値であり、１２誘導心電図の各誘導の代表波形に基づいて算出されたＱＴ間隔の平均値である。なお、特定計測値のトレンドグラフにプロットされる特定計測値は、１２誘導心電図の各誘導の代表波形からそれぞれ算出される特定計測値の中央値であってもよい。また、プロットされる特定計測値は、１２誘導心電図の各誘導の代表波形に現れた特定計測値を定義する各波形幅の各始点のうち最も早い始点と各終点のうち最も遅い終点との間の間隔として定義される値であってもよい。
【００５９】
図２のグラフのプロットのうち黒の菱形のプロットは信頼性の高い特定計測値のプロットであり、白の正方形のプロットは信頼性の低い特定計測値のプロットである。このように、信頼性の高い特定計測値と信頼性の低い特定計測値とを区別して表示することにより、ユーザは、特定計測値のトレンドグラフにおいて信頼性の低い特定計測値を把握しながら、信頼性の高い特定計測値によって特定計測値の真の動向および変化を推察することができる。
【００６０】
図２に実線の曲線で示されるように、特定計測値のトレンドグラフには、算出された特定計測値のうち信頼性の高い特定計測値の移動平均２００が重畳される。このように、特定計測値のトレンドグラフに信頼性の高い特定計測値の移動平均２００が重畳されることにより、ユーザは、より容易かつ明確に特定計測値の真の動向および変化を推察することができる。上記移動平均は、前述のように所定時間内における代表値の中央値、最小値、または最大値でもよい。
【００６１】
なお、図２に破線２１０で示されるように、特定計測値のトレンドグラフには、ユーザが特定計測値の計測値の目安となる線がユーザにより変更可能に重畳されてもよい。
【００６２】
図３は、本実施形態に係る生体情報表示装置において同時に表示される特定計測値のトレンドグラフ、指定時間における特定計測値の算出の基礎となった波形、および、指定時間における特定計測値の計測値とその移動平均と特定計測値のばらつきとの関係を示す図である。なお、図３において特定計測値として表示されているのは、ＱＴ間隔である。
【００６３】
図３のＡは、生体情報表示装置において表示されるＱＴ間隔のトレンドグラフを示す図である。
【００６４】
図３のＡのグラフにプロットされているＱＴ間隔はＱＴ間隔の代表値であり、１２誘導心電図の各誘導の代表波形（図３のＢ参照）に現れたＱＴ間隔を定義する各誘導の各始点のうち最も早い始点と各終点のうち最も遅い終点との間隔として定義される値である。
【００６５】
図３のＡには、ＱＴ間隔のトレンドグラフに、さらにユーザによる指定時間を示すカーソル３００が表示されている。図３のＡに指定時間として示されているカーソル３００の位置はユーザによる指定時間の変更により変更可能である。
【００６６】
図３のＢは、指定時間におけるＱＴ間隔の算出の基礎となった代表波形を示す図である。各代表波形の左側に表示されている記号は、１２誘導心電図の各誘導の誘導名を示している。
【００６７】
図３のＢに示されている１２誘導心電図の各誘導の波形は、誘導ごとの代表波形であり、単位時間に測定された複数拍の心電図波形が加算平均された波形である。図３のＢには、これらの各波形に現れたＱＴ間隔を定義する各波形幅の各始点のうち最も早い始点と各終点のうち最も遅い終点を示す線３１０が示されている。
【００６８】
図３のＣは、指定時間におけるＱＴ間隔の計測値と、指定時間における移動平均と、ＱＴ間隔のばらつきとの関係を示す図である。
【００６９】
図３のＣに示すように、指定時間におけるＱＴ間隔の計測値３２０およびその移動平均３３０は図上右に向かって大きな値を表示するグラフにおいてそれぞれプロットされることでその大小関係が示されている。ＱＴ間隔の計測値として示されている値は、図３のＡにおいてプロットされているＱＴ間隔であるＱＴ間隔の代表値であり、移動平均として示されている値は図３のＡにおいて表示されている移動平均の値である。
【００７０】
ＱＴ間隔のばらつきは、例えば、指定時間における単位時間内に算出した拍ごとのＱＴ間隔の標準偏差として示すことができる。ＱＴ間隔のばらつきである当該標準偏差は、図３のＣに太い四角形の横幅の大きさ３４０として示されている。なお、ＱＴ間隔の計測値３２０のプロットとして示される太い縦の実線の色を、当該ＱＴ間隔の信頼性の高低に対応して変化させることが望ましい。信頼性の高低は、ＱＴ間隔のばらつきである当該標準偏差の値がユーザにより指定された閾値を超えたかどうかにより判断される。
【００７１】
図４は、本実施形態に係る生体情報表示装置において同時に表示される特定計測値のトレンドグラフ、指定時間における特定計測値の算出の基礎となった代表波形と特定計測値の大小関係のグラフ、および、指定時間における特定計測値の計測値とその移動平均と特定計測値のばらつきとの関係を示す図である。なお、図４において特定計測値として表示されているのは、図３と同様にＱＴ間隔である。
【００７２】
図４のＣは、図３のＣと同様のグラフであるため説明を省略する。
【００７３】
図４のＡは、生体情報表示装置において表示されるＱＴ間隔のトレンドグラフを示す図である。
【００７４】
図４のＡのグラフにプロットされているＱＴ間隔はＱＴ間隔の代表値であり、１２誘導心電図の各誘導の代表波形からそれぞれ算出されるＱＴ間隔の中央値である。
【００７５】
図４のＢは、指定時間におけるＱＴ間隔の算出の基礎となった代表波形とＱＴ間隔の大小関係のグラフとを示す図である。
【００７６】
図４のＢの左図は指定時間におけるＱＴ間隔の算出の基礎となった代表波形を示す図である。各代表波形の左側に表示されている記号は、１２誘導心電図の各誘導の誘導名を示している。
【００７７】
図４のＢの左図に示されている１２誘導心電図の各誘導の代表波形は、誘導ごとに単位時間に測定された代表波形であり、当該複数拍の心電図波形が加算平均された波形である。
【００７８】
図４のＢの右図は、図４のＢの左図の各誘導の代表波形に対応するＱＴ間隔の各誘導による計測値の大小関係を示すグラフである。各誘導によるＱＴ間隔の計測値の大小関係は、図上右に向かって大きな値を表示するグラフにおいてそれぞれ短い縦の二重線によりそれぞれＱＴ間隔の計測値がプロットされることでその大小関係が示されている。
【００７９】
なお、図４のＡにＱＴ間隔としてプロットされている代表値は、上述したように、１２誘導心電図の各誘導の代表波形からそれぞれ算出されるＱＴ間隔の中央値である。そのため、図４のＢの右図においては、各誘導の代表波形からそれぞれ算出されるＱＴ間隔のうち中央値については、太い単線によるプロット４００により他のプロットと識別可能に表示される。当該中央値は、１２誘導のうちのＶ４チャネルで単位時間に計測された複数拍の心電図波形が加算平均された波形から算出されたＱＴ間隔である。この際、当該中央値を与える、Ｖ４誘導の代表波形が他の波形と識別可能に表示されてもよい。
【００８０】
図５は、本実施形態に係る生体情報表示装置において同時に表示される特定計測値のトレンドグラフ、代表波形と特定計測値の数値による大小関係、および、指定時間における特定計測値の計測値とその移動平均と特定計測値のばらつきとの関係を示す図である。なお、図５において特定計測値として表示されているのは、図３および図４と同様にＱＴ間隔である。
【００８１】
図５のＡおよびＣは、図３のＡおよびＣと同様のグラフであるため説明を省略する。
【００８２】
図５のＢは、指定時間におけるＱＴ間隔の算出の基礎となった代表波形とＱＴ間隔の数値とを示す図である。
【００８３】
図５のＢの右図は指定時間におけるＱＴ間隔の算出の基礎となった代表波形を示す図である。各代表波形の左側に表示されている記号は、１２誘導心電図の各誘導の誘導名を示している。
【００８４】
図５のＢの右図に示されている１２誘導心電図の各誘導の代表波形は、誘導ごとに単位時間に測定された代表波形であり、当該複数拍の心電図波形が加算平均された波形である。
【００８５】
なお、図５のＢの右図には、各誘導の代表波形のＱＴ間隔を定義する各波形幅の各始点のうち最も早い始点から最も遅い始点までの間隔が太い横線５００により示されるとともに、各誘導の代表波形に当該始点５２０が示される。また、各誘導の代表波形に現れたＱＴ間隔を定義する各波形幅の各終点のうち最も早い終点から最も遅い終点までの間隔が太い横線５１０により示されるとともに、各誘導の波形に当該終点５３０が示される。
【００８６】
図５のＢの左図は、図５のＢの右図の各誘導により計測された、代表波形に対応するＱＴ間隔を数値で示す図である。図５のＢの左図においては、ＱＴ間隔の各誘導による計測値の最大値が実線の太枠で囲まれるとともに最小値が破線の太枠で囲まれている。これにより、ユーザは、ＱＴ間隔の最大値および最小値が計測された誘導を一見して把握することができるとともに各誘導により測定されたＱＴ間隔を数値により明確に把握することができる。
【００８７】
図６は、本実施形態に係る生体情報表示方法のフローチャートを示す図である。本フローチャートは、本実施形態に係る生体情報表示装置１により実施されることができる。
【００８８】
ユーザは患者に測定装置１００を装着し（Ｓ６０１）、患者情報入力部１１０から患者情報を入力する（Ｓ６０２）。
【００８９】
制御部１６０は、ユーザに指定された単位時間ごとに測定装置１００に心電図を測定させ、測定された心電図を記憶部１４０に記憶させる（Ｓ６０３）。
【００９０】
制御部１６０は、単位時間に測定された代表波形からＱＴ間隔の代表値を演算部１３０に算出させるとともに、各心電図波形に基づき信頼性指標としてのＱＴ間隔の標準偏差を算出させる（Ｓ６０４）。
【００９１】
制御部１６０は、算出されたＱＴ間隔の標準偏差がユーザにより指定された閾値を超えないＱＴ間隔を信頼性の高いＱＴ間隔とし、閾値を超えたＱＴ間隔を信頼性の低いＱＴ間隔として両者を区別してトレンドグラフとして表示部１５０に表示させる（Ｓ６０５）。
【００９２】
制御部１６０は、ユーザによる指定時間を示すカーソルの位置の時間のＱＴ間隔の算出の基礎となった代表波形と、ＱＴ間隔の計測値をＱＴ間隔のトレンドグラフとともに表示する（Ｓ６０６）。
【００９３】
制御部１６０は、ステップＳ６０１〜Ｓ６０６を心電図の計測が終了するまで繰り返す（Ｓ６０７）。
【００９４】
以上、本発明の実施形態に係る生体情報表示装置および生体情報表示方法について説明したが、本実施形態は以下の効果を奏する。
【００９５】
測定された心電図波形から特定計測値を算出し、算出された特定計測値の信頼性を当該心電図波形に基づいて判断する。そして、信頼度の高い特定計測値と信頼度の低い特定計測値とを区別して特定計測値のトレンドグラフとして表示する。これにより、計測した特定計測値の信頼性を当該心電図波形に基づいて判断することで、各種ノイズの影響による信頼度の低い特定計測値と信頼度の高い特定計測値とを高精度に区別して表示することができる。
【００９６】
また、指定した単位時間内に測定された各心電図波形に基づきそれぞれ算出した特定計測値のばらつきの大きさにより特定計測値の信頼性を判断することによって、より確実かつ高精度に信頼性の高低を区別可能に特定計測値のトレンドグラフを表示することができる。
【００９７】
また、心電図波形の任意の時間帯における動揺の大きさに基づいて当該心電図波形から算出される特定計測値の信頼性を判断することにより、より確実かつ高精度に信頼性の高低を区別可能に特定計測値のトレンドグラフを表示することができる。
【００９８】
また、特定計測値のトレンドグラフに、信頼性が高いと判断された特定計測値の移動平均を重畳して表示することにより、より容易かつ明確に特定計測値の真の動向および変化を推察することができる。
【００９９】
また、各誘導の心電図波形、または各誘導の代表波形に基づく波形、に基づく代表値により特定計測値の信頼性を判断する。これにより、複数誘導においてそれぞれ心電図波形が測定される場合であっても、特定計測値の信頼性を総合的かつ高精度に判断することができる。
【０１００】
また、指定した代表波形に基づいて特定計測値を算出しその信頼性を判断することにより、より簡易かつ高精度に特定計測値の信頼性を判断することができる。
【０１０１】
また、上記代表値を、心電図波形、または代表波形、に基づいて複数誘導ごとに算出された特定計測値の平均値、中央値、および心電図波形、または代表波形に現れた特定計測値を定義する各波形幅の各始点のうち最も早い始点と各終点のうち最も遅い終点との間隔として定義される値、の少なくともいずれかとする。これにより、柔軟かつ適切に特定計測値の信頼性を判断することができる。
【０１０２】
また、特定計測値のトレンドグラフにおいて表示された各特定計測値のうち指定された時間における特定計測値の算出の基礎となった心電図波形または代表波形を、特定計測値のトレンドグラフとともに表示する。これにより、より具体的に特定計測値のトレンドグラフに表示された特定計測値の信頼性を判断することができる。
【０１０３】
また、特定計測値のトレンドグラフにおいて表示された各特定計測値のうち指定された時間における特定計測値と、当該時間における特定計測値の移動平均と、当該時間における前記特定計測値の前記ばらつきとの関係を、特定計測値のトレンドグラフとともに表示する。これにより、より具体的かつ適切に特定計測値のトレンドグラフに表示された特定計測値の信頼性を判断することができる。
【０１０４】
また、特定計測値のトレンドグラフにおいて表示された各特定計測値のうち指定された時間における特定計測値の算出の基礎となった心電図波形、または代表波形と対応させて、心電図波形、または代表波形に基づいて算出された特定計測値の大小関係を、グラフまたは数値として特定計測値のトレンドグラフとともに表示する。これにより、より具体的かつ簡易に特定計測値のトレンドグラフに表示された特定計測値の信頼性を判断することができる。
【０１０５】
また、上記代表値が複数誘導で測定された心電図波形または代表波形に基づいて算出された特定計測値の中央値として指定された場合は、心電図波形または代表波形と特定計測値とを、中央値を与える心電図波形、代表波形、およびこれらの波形に基づいて算出された中央値の少なくともいずれかを識別可能に表示する。これにより、より柔軟かつ具体的に特定計測値のトレンドグラフに表示された特定計測値の信頼性を判断することができる。
【０１０６】
また、特定計測値の大小関係を数値として表示する場合は、特定計測値を数値の最大値および最小値を識別可能に表示する。これにより、より具体的かつ的確に特定計測値のトレンドグラフに表示された特定計測値の信頼性を判断することができる。
【０１０７】
心電図波形、または代表波形を、上記代表値を定義する時間幅の始点と終点とを示す表示を重畳させて表示する。これにより、より具体的かつ正確に特定計測値のトレンドグラフに表示された特定計測値の信頼性を判断することができる。
【０１０８】
本発明に係る生体情報表示装置および生体情報表示方法は上述した実施形態に限定されるものではない。
【０１０９】
例えば、上記実施形態においては１２誘導心電図の各誘導において単位時間に測定された代表波形から特定計測値としての代表値を算出しているが、拍ごとの心電図波形から特定計測値としての代表値を算出してもよい。そして、その場合の特定計測値の信頼度は、信頼性指標として心電図波形に基線が現れて得る任意の時間帯における当該心電図波形の動揺の大きさ、または当該動揺の標準偏差とすることにより判断され得る。
【０１１０】
また、上記実施形態においては、生体情報表示装置は制御プログラムに従って制御されるものとして説明されているが、制御プログラムの一部または全部をカスタムＬＳＩ（Ｌａｒｇｅ  Ｓｃａｌｅ  Ｉｎｔｅｇｒａｔｅｄ  Ｃｉｒｃｕｉｔ）といったハードウェアで置き換えられてもよい。
【０１１１】
また、上記実施形態においては、信頼度指標の例として、心電図波形に基線が現れ得る時間帯における当該心電図波形の動揺の大きさ、または当該動揺の標準偏差を挙げている。しかし、心電図波形に基線が現れて得る時間帯以外の時間帯における心電図波形の動揺の大きさ、または当該動揺の標準偏差を信頼度指標としてもよい。
【符号の説明】
【０１１２】
１    生体情報表示装置、
１００    測定装置、
１１０    患者情報入力部、
１２０    ユーザ操作部、
１３０    演算部、
１４０    記憶部、
１５０    表示部、
１６０    制御部。
【図１】
2014094239.tif 000003
【図６】
2014094239.tif 000004
【図２】
2014094239.tif 000005
【図３】
2014094239.tif 000006
【図４】
2014094239.tif 000007
【図５】
2014094239.tif 000008